(57)【要約】【課題】所定角度開いたパネル部に、所定の力が掛かった場合に、パネル部が破損し難い空気調和装置を提供することを目的としている。【解決手段】パネル部３の面における左右の端辺の一方側の下端から下方に延びた下軸部分２４と、本体ケース１の開口５に設けた下軸部分が回動自在に嵌る下軸受け部分２５と、パネル部３の面における左右の端辺の一方側の上端から上方に延びた上軸部分と、本体ケースの開口に設けた上軸部分１８が回動自在に嵌る上軸受け部分１９と、上軸部分１８は、上端がパネル部３の外面から内面に向かうにつれて下方へ傾斜する傾斜面部分２６を備え、パネル部３を設計上の開閉可能範囲外まで開くと、パネル部３の外面の一部と本体ケース１に設けた接触部分２８とが当たり、パネル部３はパネル部３における上下方向が撓み、上軸部分１８が上軸受け部分１９から傾斜に沿って外れることで、本体ケース１とパネル部３の破損を低減する。【選択図】図２
2020020506.tif 000002
【特許請求の範囲】
【請求項１】
第１の側面に開口を備えた本体ケースと、
前記本体ケース内に設けた空気調和部と、
前記開口を覆うパネル部と、
前記パネル部を前記本体ケースに回動自在に支持する回動支持部とを備え、
前記回動支持部は、
前記パネル部の面における左右の端辺の一方側の下端から下方に延びた下軸部分と、
前記本体ケースの前記開口に設けた前記下軸部分が回動自在に嵌る下軸受け部分と、
前記パネル部の面における左右の端辺の一方側の上端から上方に延びた上軸部分と、
前記本体ケースの前記開口に設けた前記上軸部分が回動自在に嵌る上軸受け部分と、
前記上軸部分は、上端が前記パネル部の外面から内面に向かうにつれて下方へ傾斜する傾斜面部分を備え、
前記パネル部を開くと、前記パネル部の外面の一部と前記本体ケースに設けた接触部分とが当たり、前記パネル部は前記パネル部における上下方向が撓み、前記上軸部分が上記上軸受け部分から外れることを特徴とする空気調和装置。
【請求項２】
前記パネル部は、前記パネル部における上下方向が、前記パネル部の面における左右方向よりも撓み易いことを特徴とする請求項１に記載の空気調和装置。
【請求項３】
前記パネル部は、縦長四角形状であることを特徴とする請求項２に記載の空気調和装置。
【請求項４】
前記パネル部は、
縦長四角板形状の板部と、
前記板部の縁から本体ケース１の内方に延びた板形状の枠部とを有し、
前記板部における上端から延びた前記枠部の一部である上枠部分は、前記板部における側端から延びた前記枠部の一部である一方側枠部分と他方側枠部分より前記板部から本体ケース１の内方に突出した寸法が大きいことを特徴とする請求項３に記載の空気調和装置。
【請求項５】
前記パネル部の上部中央には、前記パネル部の面における左右方向が撓むことを抑制する補強部分を設けたことを特徴とする請求項２から４のいずれかに記載の空気調和装置。
【請求項６】
前記補強部分の水平方向の寸法は、
前記補強部分から前記パネル部の面における左右方向の一方側端部までの寸法より大きく、
前記補強部分から前記パネル部の面における左右方向の他方側端部までの寸法より大きいことを特徴とする請求項５に記載の空気調和装置。
【請求項７】
前記接触部分は、面であることを特徴とする請求項１から６のいずれかに記載の空気調和装置。
【請求項８】
前記第１の側面と隣接した前記パネル部の水平方向における一方側には、前記本体ケースにおける第２の側面を有し、
前記接触部分は、前記第２の側面における前記パネル部側の端部に配置されたことを特徴とする請求項１から７のいずれかに記載の空気調和装置。
【発明の詳細な説明】
【技術分野】
【０００１】
本発明は、本体ケース側面にメンテナンス用の開口を有し、開口には開閉するパネル部を備えた空気調和装置に関するものである。
【背景技術】
【０００２】
従来、この種の空気調和装置の一例として、本体ケース前面にメンテナンス用の開口を有し、開口には前後方向に開閉するパネル部を備えた空気調和装置が知られている。（例えば、特許文献１参照）。
【０００３】
この空気調和装置は、本体ケース内に加湿部を備えている。加湿部は、水を貯水するトレイ部分と、トレイ部分に水を供給するタンク部分と、トレイ部分内の水に一部が浸漬したフィルター部分とを備えている。タンク部分の水が無くなると、本体ケース前面のパネル部を所定角度開け、本体ケース内からタンク部分を取り出し、タンク部分に水を入れ、再び水の入ったタンク部分を本体ケース内に装着する。本体ケース内に装着するときに、誤って水の入ったタンク部分がパネル部に当っても、パネル部の一部分が撓むことによって、パネル部が破損しないように、本体ケースからパネル部が外れる構成となっている。
【先行技術文献】
【特許文献】
【０００４】
【特許文献１】特開２０１１−０３３２９２号公報
【発明の概要】
【発明が解決しようとする課題】
【０００５】
このような従来の空気調和装置においては、水の入ったタンク部分を本体ケース内に装着するときに、誤って水の入ったタンク部分をパネル部に当てても、パネル部が破損しないように、パネル部から延びた部品が撓むことによって本体ケースからパネル部が外れる構成となっている。しかし、パネル部の一部分のみが撓むので、この撓む部分の耐久性を更に向上させる必要がある。
【課題を解決するための手段】
【０００６】
そして、この目的を達成するために、本発明は、第１の側面に開口を備えた本体ケースと、前記本体ケース内に設けた空気調和部と、前記開口を覆うパネル部と、前記パネル部を前記本体ケースに回動自在に支持する回動支持部とを備え、前記回動支持部は、前記パネル部の面における左右の端辺の一方側の下端から下方に延びた下軸部分と、前記本体ケースの前記開口に設けた前記下軸部分が回動自在に嵌る下軸受け部分と、前記パネル部の面における左右の端辺の一方側の上端から上方に延びた上軸部分と、前記本体ケースの前記開口に設けた前記上軸部分が回動自在に嵌る上軸受け部分と、前記上軸部分は、上端が前記パネル部の外面から内面に向かうにつれて下方へ傾斜する傾斜面部分を備え、前記パネル部を開くと、前記パネル部の外面の一部と前記本体ケースに設けた接触部分とが当たり、前記パネル部は前記パネル部における上下方向が撓み、前記上軸部分が上記上軸受け部分から外れることを特徴としたものであり、これにより所期の目的を達成するものである。
【発明の効果】
【０００７】
本発明によれば、第１の側面に開口を備えた本体ケースと、前記本体ケース内に設けた空気調和部と、前記開口を覆うパネル部と、前記パネル部を前記本体ケースに回動自在に支持する回動支持部とを備え、前記回動支持部は、前記パネル部の面における左右の端辺の一方側の下端から下方に延びた下軸部分と、前記本体ケースの前記開口に設けた前記下軸部分が回動自在に嵌る下軸受け部分と、前記パネル部の面における左右の端辺の一方側の上端から上方に延びた上軸部分と、前記本体ケースの前記開口に設けた前記上軸部分が回動自在に嵌る上軸受け部分と、前記上軸部分は、上端が前記パネル部の外面から内面に向かうにつれて下方へ傾斜する傾斜面部分を備え、前記パネル部を開くと、前記パネル部の外面の一部と前記本体ケースに設けた接触部分とが当たり、前記パネル部は前記パネル部における上下方向が撓み、前記上軸部分が上記上軸受け部分から外れるので、撓む部分の耐久性を更に向上させることができる。
【図面の簡単な説明】
【０００８】
【図１】本発明の実施の形態１の空気調和装置の斜視図
【図２】同空気調和装置の斜視図
【図３】同空気調和装置の断面図
【図４】同空気調和装置の本体ケースとパネル部の上部とを示す斜視図
【図５】同空気調和装置の本体ケースとパネル部の下部とを示す斜視図
【図６】同空気調和装置の本体ケースとパネル部の上部の拡大図を示す斜視図
【図７】同空気調和装置のパネル部が開かれているときの背面からの斜視図
【発明を実施するための形態】
【０００９】
以下、本発明の実施形態について図面を参照しながら説明する。
【００１０】
（実施の形態１）
図１は、本発明の実施の形態１の空気調和装置の斜視図であり、空気調和装置を前面側から見た図である。図２は、本発明の実施の形態１の空気調和装置の斜視図であり、パネル部を開いて空気調和装置を前面側から見た図である。
【００１１】
図１、２に示すように、本実施形態の空気調和装置においては、略箱形状の本体ケース１を備え、本体ケース１の両側面には略四角形状の吸気口２を有している。本体ケース１は、床等の水平面に置かれる。本体ケース１の一方側の側面である第１の側面１Ａには、縦長四角形状の開口５を備えている。第１の側面１Ａは、本体ケース１の前面側から見て、右側の側面である。本体ケース１の開口５には開閉可能なパネル部３を備え、パネル部３を開くと開口５から後述する本体ケース１内の加湿部７を取り出すことが出来る。本体ケース１の一方側の側面の吸気口２は、パネル部３に設けられている。本体ケース１の天面には、吹出口４を備えている。
【００１２】
図３は、本発明の実施の形態１の空気調和装置の断面図であり、空気調和装置を右側から見た図である。
【００１３】
図２、図３に示すように、本体ケース１内には、送風機６と、空気調和部である加湿部７、風路８とを備えている。
【００１４】
送風機６は、本体ケース１の中央部に設けられ、モータ部９と、モータ部９により回転するファン部１０と、それらを囲むケーシング部１１とを備えている。
【００１５】
ファン部１０は、シロッコファンで、モータ部９から水平方向に延びたモータ軸（図示せず）に固定され、モータ部９は、ケーシング部１１に固定されている。ケーシング部１１は、ケーシング部１１の本体ケース１における上面側に吐出口１２を備え、ケーシング部１１の本体ケース１における背面側に吸込口１３を有している。
【００１６】
加湿部７は、水を貯水するトレイ部分１４と、トレイ部分１４に水を供給するタンク部分１５と、トレイ部分１４内の水に一部が浸漬したフィルター部分１６とを備えている。トレイ部分１４とフィルター部分１６は、送風機６より下方に配置されている。
【００１７】
トレイ部分１４は、天面を開口した箱形状をしており、水を貯水できる構造となっており、本体ケース１の下部に配置され、本体ケース１から水平方向にスライドして着脱可能となっている。
【００１８】
タンク部分１５は、本体ケース１内部の一方側の側面に設置され、トレイ部分１４から着脱可能な構造となっている。
【００１９】
フィルター部分１６は、トレイ部分１４に貯水された水と、送風機６によって本体ケース１内に吸込まれた室内空気とを接触させる部材である。円筒状に構成され、円周部分に空気が流通可能な孔を備えたフィルター１７を配置し、その一端がトレイ部分１４の水に浸漬するように、フィルター１７の中心軸を回転中心としてトレイ部分１４に回転自在に内蔵されている。そして、駆動部（図示しない）により回転され、水と室内空気を連続的に接触させる構造となっている。
【００２０】
風路８は、吸気口２と吹出口４とを連通し、この風路８には、吸気口２から順に、加湿部７（トレイ部分１４、フィルター部分１６）、送風機６、吹出口４とを備えている。モータ部９によってファン部１０が回転すると、吸気口２から風路８内に入った外部の空気は、順に、加湿部７であるフィルター１７、送風機６、吹出口４を介して、吹き出される。
【００２１】
図４は、本発明の実施の形態１の空気調和装置の本体ケースとパネル部の上部とを示す斜視図である。図５は、本発明の実施の形態１の空気調和装置の本体ケースとパネル部の下部とを示す斜視図である。
【００２２】
図２、４、５に示すように、開口５を覆うパネル部３は、左右方向に回動自在に支持する回動支持部によって、本体ケース１に回動自在に設けられている。回動支持部は、パネル部３の上部と下部に設けられている。
【００２３】
パネル部３は、縦長四角板形状の板部３Ａと、板部３Ａの縁から本体ケース１の内方に延びた板形状の枠部３Ｂを有している。枠部３Ｂは、上枠部分２０と、下枠部分２１と、一方側枠部分２２と、他方側枠部分２３とを備えている。なお、板部３Ａと枠部３Ｂとは、樹脂材料によって一体に形成している。
【００２４】
上枠部分２０は、板部３Ａにおける上端から本体ケース１の内方に突出した細長平板形状であり、上下に面を有している。
【００２５】
下枠部分２１は、板部３Ａにおける下端から本体ケース１の内方に突出した細長平板形状であり、上下に面を有している。
【００２６】
一方側枠部分２２は、板部３Ａの面における左右方向の一方側（図５では右側）の端部から本体ケース１の内方に突出した細長平板形状である。なお、面における左右方向の一方側とは、面と平行である水平方向における一方側である。
【００２７】
他方側枠部分２３は、板部３Ａの面における左右方向の他方側（図５では左側）の端部から本体ケース１の内方に突出した細長平板形状である。
【００２８】
なお、パネル部３は、板部３Ａと枠部３Ｂとによって、略浅皿形状になっている。下枠部分２１と、一方側枠部分２２と、他方側枠部分２３とにおける板部３Ａから本体ケース１の内方に突出する方向における寸法は、同じである。下枠部分２１と、一方側枠部分２２と、他方側枠部分２３とにおける板部３Ａから本体ケース１の内方に突出する方向における寸法は、上枠部分２０における板部３Ａから本体ケース１の内方に突出する方向における寸法より小さい。これにより、パネル部３は、パネル部３における上下方向が、パネル部３の面における左右方向よりも撓み易い構成である。
【００２９】
パネル部３に設けられた回動支持部は、下軸部分２４と、下軸受け部分２５と、上軸部分１８と、上軸受け部分１９とを備えている。図６は本体上部にある回動支持部の拡大図である。
【００３０】
下軸部分２４は、パネル部３の面における左右の端辺の一方側（図５では左側）の下端から下方に延びている。下軸部分２４は、パネル部３の下部に設けられ、パネル部３の下枠部分２１のパネル部３の板部３Ａの面における左右の一方側（図５では左側）の下端から下方に延びた円柱形状の突起である。下軸受け部分２５は、本体ケースの開口５の縁に設けられ、下軸部分が回動自在に嵌る円柱形状の穴である。
【００３１】
上軸部分１８は、パネル部の面における左右の端辺の一方側（図５では左側）の上端でから下方に延びている。上軸部分１８は、パネル部３の上部に設けられ、パネル部３の上枠部分２０のパネル部３の板部３Ａ面における左右の一方側（図４では左側）の上端から上方に延びた円柱形状の突起である。上軸部分１８は、上端がパネル部３の外面から内面に向かうにつれて下方へ傾斜する傾斜面である傾斜面部分２６を備えている。（図６参照）
上軸受け部分１９は、本体ケース１の開口５の縁に設けられ、上軸部分１８が回動自在に嵌る円柱形状の穴である。
【００３２】
以上の構成において、パネル部３を開くと、パネル部３の外面の一部と本体ケース１に設けた接触部分２８とが当たり、パネル部３はパネル部３における上下方向が撓み、傾斜面部分２６によって上軸部分１８が上軸受け部分１９から外れる構成である。詳しく説明すると、パネル部３と接触部分２８とが接触した状態から、更に、パネル部３が開く方向に力が掛かると、パネル部３と接触する接触部分２８は、接触部分２８における上部と下部となり、接触部分２８の中央部は、パネル部３から離れる。これは、パネル部３が上下方向に撓むためである。このように、パネル部３における上下方向が撓むので、パネル部３の一部が撓む場合に比べて、パネル部３の撓む部分の長さが長くなり、撓む部分の耐久性が向上する。なお、パネル部３における上下方向が撓むとは、パネル部３が変形し、パネル部３における上下方向の寸法が小さくなることである。
【００３３】
また、パネル部３は、パネル部３における上下方向が、パネル部３の面における左右方向よりも撓み易い構成である。パネル部３は、縦長四角形状であるので、水平方向の寸法よりも上下方向の寸法が大きいので、パネル部３における上下方向が、パネル部３における水平方向よりも撓み易い。具体的には、一方側枠部分２２の上下方向の寸法は、上枠部分２０の水平方向の寸法より大きく、更に、一方側枠部分２２の上下方向の寸法は、タンク部分１５の上下方向の寸法より大きいので、パネル部３における上下方向が、パネル部３における水平方向よりも撓み易い。
【００３４】
また、パネル部３の上部中央には、パネル部３の上部が撓むことを抑制する補強部分２７を配置した。補強部分２７は、パネル部３の上部中央が、本体ケース１の内方に凹んだ構成である。補強部分の上端は、開口している。補強部分２７におけるパネル部から本体ケース１の内方に凹んだ寸法は、上枠部分２０におけるパネル部３から本体ケース１の内方に突出した寸法より大きい。これにより、パネル部３の面における左右方向は、パネル部における上下方向よりも撓み難くなる。
【００３５】
補強部分２７の上方には、本体ケース１に設けられた第１の取手部３０が配置されている。第１の取手部３０は、本体ケース１の一方側（図１では右側）の側面である第１の側面１Ａが、外方に膨らんだ形状である。使用者は、補強部分２７に手の指を入れ、第１の取手部３０の下部に指を引っ掛けることができる。本体ケース１の他方側（図２では左側）の第２の側面（図示せず）には、内方に窪んだ形状である第２の取手部（図示せず）が配置されている。使用者は、第２の取手部（図示せず）に手の指を入れ、第２の取手部（図示せず）の上部に指を引っ掛けることができる。このように、使用者は、第１の取手部３０と第２の取手部（図示せず）とに指を引っ掛け、本体ケース１を持ち上げ、本体ケース１を移動させることができる。
【００３６】
また、更に、補強部分２７の水平方向の寸法は、補強部分２７からパネル部３の水平方向における一方側端部までの寸法より大きく、補強部分２７からパネル部の水平方向における他方側端部までの寸法より大きい。これにより、上枠部分２０の水平方向の寸法が小さくなるので、更に、パネル部３の上部は、パネル部３の面における左右方向に撓むことを抑制できる。
【００３７】
また、接触部分２８は、縦長四角形状の面である。具体的には、第１の側面と隣接したパネル部３の水平方向における一方側（図１では左側）には、本体ケースにおける第３の側面（図１では本体ケースにおける背面）を有している。接触部分２８は、第３の側面におけるパネル部３側の端部に配置されている。これにより、接触部分２８と接触するパネル部３の面積が大きくなり、パネル部３への負荷が一か所に集中することを低減できる。
【００３８】
接触部分２８は、パネル部３における接触範囲２９に当たる。接触範囲２９とパネル部３における一方側（図７では右側）に配置された上軸部分との距離は、接触範囲２９とパネル部３における他方側（図７では左側）の端部との距離より小さい。これにより、接触部分２８がパネル部３における接触範囲２９に当たり、更に、パネル部３における他方側（図７では左側）に、パネル部３が開く方向へ力が掛かると、てこの原理によって、上軸部分１８が外れやすくなると考えられる。
【産業上の利用可能性】
【００３９】
本発明は、本体ケース側面にメンテナンス用の開口を有し、開口には開閉するパネル部を備えた空気調和装置として適している。
【符号の説明】
【００４０】
１    本体ケース
１Ａ    第１の側面
２    吸気口
３    パネル部
３Ａ    板部
４    吹出口
５    開口
６    送風機
７    加湿部
８    風路
９    モータ部
１０    ファン部
１１    ケーシング部
１２    吐出口
１３    吸込口
１４    トレイ部分
１５    タンク部分
１６    フィルター部分
１７    フィルター
１８    上軸部分
１９    上軸受け部分
２０    上枠部分
２１    下枠部分
２２    一方側枠部分
２３    他方側枠部分
２４    下軸部分
２５    下軸受け部分
２６    傾斜面部分
２７    補強部分
２８    接触部分
２９    接触範囲
３０    第１の取手部
【図１】
2020020506.tif 000003
【図２】
2020020506.tif 000004
【図３】
2020020506.tif 000005
【図４】
2020020506.tif 000006
【図５】
2020020506.tif 000007
【図６】
2020020506.tif 000008
【図７】
2020020506.tif 000009